(57)【特許請求の範囲】
【請求項１】
損傷及び劣化の診断を行うことができる擁壁構造を構築するための壁面パネルであって、
背面の一部に薄肉部を形成し、
前記薄肉部にはテスト片を配置し、
前記テスト片は補強材劣化テスト片であることを特徴とする、
壁面パネル。
【請求項２】
損傷及び劣化の診断を行うことができる擁壁構造を構築するための壁面パネルであって、
背面の一部に薄肉部を形成し、
前記薄肉部にはテスト片を配置し、
前記テスト片は補強材抵抗テスト片であることを特徴とする、壁面パネル。
【請求項３】
損傷及び劣化の診断を行うことができる擁壁構造を構築するための壁面パネルであって、
背面の一部に薄肉部を形成し、
前記薄肉部にはテスト片を配置し、
前記テスト片は壁面パネルと一体成型したコンクリートテスト片であり、前記背面から突出して形成したことを特徴とする、壁面パネル。
【請求項４】
損傷及び劣化の診断を行うことができる擁壁構造を構築するための壁面パネルであって、
背面の一部に薄肉部を形成し、
前記薄肉部にはテスト片を配置し、
前記テスト片は補強材劣化テスト片と補強材抵抗テスト片であることを特徴とする、壁面パネル。
【請求項５】
請求項１，２，４のいずれか一項に記載の壁面パネルにおいて、前記薄肉部には、前記壁面パネルと一体成型したコンクリートテスト片を前記背面から突出して形成することを特徴とする、壁面パネル。
【発明の詳細な説明】
【技術分野】
【０００１】
本発明は、損傷・劣化診断可能な擁壁構造を構築するための壁面パネルに関するものである。
【背景技術】
【０００２】
従来、擁壁の壁面にコンクリート製の壁面パネルを配置し、壁面パネルに連結部材を介して連結した補強材によって、壁面パネルの背面に盛土材を充填して構成する盛土に固定される擁壁構造が知られている。
そして、近年、擁壁構造等の土木構造物を資産としてとらえ、その損傷・劣化等を診断して、最も費用対効果の高い維持管理を行うことにより、長期的に効率的に管理しようとする、アセットマネジメントシステムの構築が進められている。
【０００３】
擁壁構造の損傷・劣化等を診断するためのモニタリング項目としては、以下のようなものがある。
（１）壁面パネルのモニタリング項目
コンクリートの中性化、鉄筋の腐食、コンクリート強度
（２）補強材のモニタリング項目
劣化、強度、盛土内での摩擦抵抗及び支圧抵抗
（３）盛土材のモニタリング項目
土質性状（物理特性、化学特性）、土質強度（力学特性）
【発明の概要】
【発明が解決しようとする課題】
【０００４】
本発明は、様々な項目のモニタリングを容易に行うことができ、適切に損傷・劣化等の診断を行うことができる擁壁構造を構築するための壁面パネルを提供することを目的とする。
【課題を解決するための手段】
【０００５】
上記目的を達成するためになされた本願の第１発明は、損傷及び劣化の診断を行うことができる擁壁構造を構築するための壁面パネルであって、背面の一部に薄肉部を形成し、前記薄肉部にはテスト片を配置し、前記テスト片は補強材劣化テスト片であることを特徴とする、壁面パネルを提供する。
本願の第２発明は、損傷及び劣化の診断を行うことができる擁壁構造を構築するための壁面パネルであって、背面の一部に薄肉部を形成し、前記薄肉部にはテスト片を配置し、前記テスト片は補強材抵抗テスト片であることを特徴とする、壁面パネルを提供する。
本願の第３発明は、損傷及び劣化の診断を行うことができる擁壁構造を構築するための壁面パネルであって、背面の一部に薄肉部を形成し、前記薄肉部にはテスト片を配置し、前記テスト片は壁面パネルと一体成型したコンクリートテスト片であり、前記背面から突出して形成したことを特徴とする、壁面パネルを提供する。
本願の第４発明は、損傷及び劣化の診断を行うことができる擁壁構造を構築するための壁面パネルであって、背面の一部に薄肉部を形成し、前記薄肉部にはテスト片を配置し、前記テスト片は補強材劣化テスト片と補強材抵抗テスト片である壁面パネルを提供する。
本願の第５発明は、第１，２，４発明のいずれかに記載の壁面パネルにおいて、前記薄肉部には、前記壁面パネルと一体成型したコンクリートテスト片を前記背面から突出して形成することを特徴とする、壁面パネルを提供する。
【発明の効果】
【０００６】
本発明は、上記した課題を解決するための手段により、次のような効果の少なくとも一つを得ることができる。
（１）壁面パネルの一部に薄肉部を形成することにより、壁面パネルのコア抜きが簡易となり、容易に盛土内部を確認することができる。
（２）薄肉部にテスト片を配置することにより、コア抜きによる盛土内部の確認と合わせて、テスト片によるモニタリングを行うことができる。
（３）薄肉部に複数のテスト片を配置することにより、一度のコア抜きで複数の項目をモニタリングできる。
【図面の簡単な説明】
【０００７】
【図１】本発明に係る壁面パネルの斜視図
【図２】本発明に係る壁面パネルの断面図
【図３】テスト片の配置図
【図４】コア抜きした状態を示す図
【図５】コア抜きした薄肉部を埋め戻した状態を示す図
【発明を実施するための形態】
【０００８】
以下、図に示す実施例に基づき、本発明を詳細に説明する。
【実施例１】
【０００９】
［１］本発明の構成
本発明の壁面パネルは、背面に薄肉部１を有する。そして薄肉部１内部には、補強材劣化テスト片２、補強材抵抗テスト片３及びコンクリートテスト片４を設ける。（図１）
以下、各構成部材について詳述する。
【００１０】
（１）壁面パネル
本発明の壁面パネルは、背面に設けた連結具５に連結した、ベルト状、線状、面状の部材であり、鉄や高分子材料などからなる補強材６を背面の盛土７内に埋設し、補強材６の摩擦力又は支圧力により固定されて擁壁面を形成し、背面の盛土７の形状を保持し、擁壁構造の一部を構成するものである。（図２）
近年、土木構造物においてもアセットマネジメントの観点から、その損傷・劣化等を診断することが求められているが、本発明の壁面パネルは、形成する盛土構造物の診断のための様々な項目を容易にモニタリング可能とする。
壁面パネルは鉄筋コンクリート製の平板であり、工場で製造したものを現場に搬入するか、もしくは現場でコンクリートを打設し製作する。
本発明の壁面パネルは背面に円柱状の薄肉部１を複数形成する。
【００１１】
（２）薄肉部
薄肉部１は壁面パネルの背面の厚さ方向に形成する、穴であり、例えば円筒状に形成する。
薄肉部１の直径は強度やモニタリング性の観点から、３０ｃｍ程度が好ましい。
薄肉部１には、補強材劣化テスト片２、補強材抵抗テスト片３及びコンクリートテスト片４を、それぞれが重ならないように配置する。（図３）
補強材劣化テスト片２、補強材抵抗テスト片３及びコンクリートテスト片４は、壁面パネルの薄肉部１内であれば、モニタリング項目に応じて設置個数や配列を自在に設定可能である。
【００１２】
（３）補強材劣化テスト片
補強材劣化テスト片２は、壁面パネルに連結する補強材６の盛土７内での腐食の状況や、その強度をモニタリングするための部材である。
補強材劣化テスト片２は、一方の端部が薄肉部１の内部に配置し、補強材６と同様に盛土７内に埋設する。
ただし、補強材劣化テスト片２は補強材６よりも短く、１ｍ程度の長さとする。
補強材劣化テスト片２の材質は、鋼製材料や高分子材料などからなり、補強材劣化テスト片２の腐食状況の観察や片厚の減少量、残留強度などをモニタリングすることにより、補強材の劣化を確認することができる。
【００１３】
（４）補強材抵抗テスト片
補強材抵抗テスト片３は、補強材６の盛土７に対する摩擦抵抗をモニタリングするための部材である。
補強材抵抗テスト片３は、補強材劣化テスト片２同様、一方の端部を薄肉部１の内部に配置し、盛土７内に埋設する。
ただし、補強材抵抗テスト片３は盛土の土被りに応じて適宜、長さを設定する。例えば、補強材抵抗テスト片３を補強材６と同じ材質とし、同じ長さを盛土７内に配置することにより、補強材抵抗テスト片３の摩擦抵抗及び支圧抵抗と補強材６の摩擦抵抗及び支圧抵抗がほぼ同一となり、補強材抵抗テスト片３の摩擦抵抗及び支圧抵抗をモニタリングすることにより、盛土７内の補強材６の摩擦抵抗及び支圧抵抗を確認できる。
【００１４】
補強材劣化テスト片２及び補強材抵抗テスト片３の壁面パネル側の端部は、壁面パネルの薄肉部１内に配置するが、それぞれの端部は、露出した状態で盛土７内に埋設してもよいし、材質がＶＰやＰＶＣなどのシース管からなる封止管８及びキャップ９や、材質がコンクリートからなるボックス１０内に封止して埋設してもよい。
本実施例においては、封止管８やボックス１０にはテスト片２、３のいずれか一方を封止して構成するが、一つの封止管８やボックス１０に複数のテスト片を封止してもよい。
【００１５】
（５）コンクリートテスト片
コンクリートテスト片４は、壁面パネルを構成するコンクリートの中性化をモニタリングするための部材である。
コンクリートテスト片４は、薄肉部１の底面から盛土７方向に立設し、盛土７に埋設する。
コンクリートテスト片４は、壁面パネルと一体成型することにより、壁面パネルと同質のコンクリートとなり、コンクリートテスト片４の中性化をモニタリングすることにより、壁面パネルを構成するコンクリートの中性化を確認できる。
また、コンクリートテスト片４内部に壁面パネルと同一の鉄筋を設置することにより、鉄筋の腐食状況の観察や圧縮強度、曲げ強度をモニタリングし、壁面パネルの鉄筋の腐食やコンクリート強度を確認できる。
【００１６】
［２］モニタリング方法
次に本発明の壁面パネルによるモニタリング方法について説明する。
【００１７】
（１）擁壁構造の構築
本発明の壁面パネルは、その他の壁面パネルを組み合わせて積み上げることで、擁壁構造の壁面の一部を形成するものである。
壁面パネルの背面には土砂を撒き出して盛土７を構築する。盛土７を構築する際には、壁面パネル背面の連結具５に連結した補強材６を盛土７内に水平に埋設する。
また、土砂を撒き出して盛土７を構築する際には、壁面パネルの薄肉部１の背面に補強材劣化テスト片２と補強材抵抗テスト片３を盛土７内に水平に埋設する。
コンクリートテスト片４は、壁面パネルと一体成型されているため、壁面パネル背面に盛土７を構築することにより、盛土７内に埋設される。
【００１８】
（２）コア抜き
モニタリングは、予め定めた期間ごと（例えば１０年、２５年、４０年、６０年ごと等）に行う。このため、壁面パネルに複数の薄肉部１を形成するか、擁壁構造を構成する壁面パネルの複数枚を本発明の壁面パネルとする。
モニタリングを行う際には、薄肉部１を前面側からコア抜きを行う。コア抜きする部分は、壁面パネルの薄肉部１であるため、容易にコア抜きを行うことができる。（図４）
コア抜きは、薄肉部１の直径（３０ｃｍ程度）と同程度の大きさとする。これにより、壁面パネルの断面や内部の盛土７の目視や、テスト片の取り出し等を容易に行うことが出来る。
薄肉部１の背面に複数のテスト片２、３、４を配置することにより、一度のコア抜きで複数の項目をモニタリングすることができる。
【００１９】
（３）壁面パネルモニタリング
薄肉部１をコア抜きすることにより、壁面パネルの断面を確認することができる。これにより内部の鉄筋の腐食を目視できる。
また、薄肉部１にはコンクリートテスト片４を形成しており、コンクリートテスト片４は盛土７内に埋設されている。そして、薄肉部１のコア抜きと同時にコンクリートテスト片４を回収して中性化や鉄筋の腐食状況の観察とコンクリート強度をモニタリングすることにより、壁面パネルを構成するコンクリートの中性化や鉄筋の腐食とコンクリート強度を確認できる。
【００２０】
（４）補強材モニタリング
薄肉部１をコア抜きすることにより、補強材劣化テスト片２及び補強材抵抗テスト片３が露出する。
補強材劣化テスト片２はジャッキ等を用いて盛土７から引き抜いてモニタリングテストを行う。
補強材劣化テスト片２の材質は、鋼製材料や高分子材料などからなり、テスト片２の腐食状況の観察や片厚の減少量、残留強度などをモニタリングすることにより、補強材の劣化を確認する。
【００２１】
補強材抵抗テスト片３は、コア抜きによって露出した端部を挟持して引き抜き試験を行う。これにより、補強材抵抗テスト片３の摩擦抵抗及び支圧抵抗をモニタリングし、盛土７内の補強材６の摩擦抵抗及び支圧抵抗を確認できる。
【００２２】
（５）盛土のモニタリング
コア抜きによって開口した盛土7内部の状況を観察し、土のサンプルを取り出して土質試験を実施する。
これにより、土の物理特性（細粒分含有量や含水比など）や化学特性（pHや電気比抵抗など）と力学特性（内部摩擦角や粘着力など）をモニタリングすることにより、盛土７の土質性状及び土質強度を確認することができる。
【００２３】
（６）埋め戻し
モニタリング終了後は、コア抜きした薄肉部１をコンクリートやモルタルにより埋め戻しを行う。（図５）
そして、次のモニタリングの際には、背面にテスト片が配置された同一箇所、もしくは他の薄肉部１をコア抜きし、同様の試験を行う。
【符号の説明】
【００２４】
１      薄肉部
２      補強材劣化テスト片
３      補強材抵抗テスト片
４      コンクリートテスト片
５      連結具
６      補強材
７      盛土
８      封止管
９      キャップ
１０    ボックス
【図１】
0005601987.tif 000002
【図２】
0005601987.tif 000003
【図３】
0005601987.tif 000004
【図４】
0005601987.tif 000005
【図５】
0005601987.tif 000006